(57)【要約】【課題】撮影時の環境に応じた適切な発光色で照明光を発光する撮影装置及び照明装置を実現する。【解決手段】被写体を撮像する撮像手段と、照明光の発光色を可変し得る可変色照明手段と、撮像時の環境情報を取得する環境情報取得手段と、環境情報に基づいて可変色照明手段を制御し照明光を撮影時の環境に応じた発光色で発光させる発光色制御手段とを設けた。そして環境情報取得手段として、撮影装置の周辺圧力を環境情報として検出する圧力センサを設け、周辺圧力情報に基づいて撮影装置が水中にあることを検出したとき、照明光の発光色を水中に入射する太陽光の補色に合致するように制御するようにした。また、撮像手段で撮像した画像のカラーバランスを環境情報として取得し、照明光の発光色を当該取得したカラーバランスに合致するように制御するようにした。【選択図】        図５
2004317746.tif 000002
【特許請求の範囲】
【請求項１】
被写体を撮像する撮像手段と、
照明光の発光色を可変し得る可変色照明手段と、
撮像時の環境情報を取得する環境情報取得手段と、
上記環境情報取得手段で取得した環境情報に基づいて上記可変色照明手段を制御し、上記照明光を撮影時の環境に応じた発光色で発光させる発光色制御手段と
を具えることを特徴とする撮影装置。
【請求項２】
上記環境情報取得手段は、上記撮影装置の周辺圧力を上記環境情報として検出する圧力センサであり、
上記発光色制御手段は、上記圧力センサで検出した上記撮影装置の周辺圧力情報に基づいて、当該撮影装置が水中にあることを検出したとき、上記照明光の発光色を水中に入射する太陽光の補色に制御する
ことを特徴とする請求項１に記載の撮影装置。
【請求項３】
上記発光色制御手段は、上記検出した周辺圧力情報に基づいて上記撮影装置の深度を算出し、上記照明光の発光色を、当該算出した深度に応じた太陽光の補色に制御する
ことを特徴とする請求項２に記載の撮影装置。
【請求項４】
上記環境情報取得手段は、上記撮像手段で撮像した画像のカラーバランスを上記環境情報として取得し、
上記発光色制御手段は、上記照明光の発光色を上記取得したカラーバランスに合致するように制御する
ことを特徴とする請求項１に記載の撮影装置。
【請求項５】
上記環境情報取得手段は、撮影時の日時情報を上記環境情報として取得し、
上記発光色制御手段は、上記取得した日時情報に基づいて、上記照明光の発光色を上記撮影時における太陽光色に合致するように制御する
ことを特徴とする請求項１に記載の撮影装置。
【請求項６】
上記発光色制御手段は、上記取得した日時情報に基づいて、上記撮影時が日出没前後の調光時間帯内である場合、上記照明光の発光色を日出没前後の太陽光色に合致するように制御する
ことを特徴とする請求項５に記載の撮影装置。
【請求項７】
照明光の発光色を可変し得る可変色照明手段と、
上記照明光の発光時の環境情報を取得する環境情報取得手段と、
上記環境情報取得手段で取得した環境情報に基づいて上記可変色照明手段を制御し、上記照明光を発光時の環境に応じた発光色で発光させる発光色制御手段と
を具えることを特徴とする照明装置。
【請求項８】
上記環境情報取得手段は、上記照明装置の周辺圧力を上記環境情報として検出する圧力センサであり、
上記発光色制御手段は、上記圧力センサで検出した上記照明装置の周辺圧力情報に基づいて、当該照明装置が水中にあることを検出したとき、上記照明光の発光色を水中に入射する太陽光の補色に制御する
ことを特徴とする請求項７に記載の照明装置。
【請求項９】
上記発光色制御手段は、上記検出した周辺圧力情報に基づいて上記照明装置の深度を算出し、上記照明光の発光色を、当該算出した深度に応じた太陽光の補色に制御する
ことを特徴とする請求項８に記載の照明装置。
【請求項１０】
上記環境情報取得手段は、発光時の日時情報を上記環境情報として取得し、
上記発光色制御手段は、上記取得した日時情報に基づいて、上記照明光の発光色を上記発光時における太陽光色に合致するように制御する
ことを特徴とする請求項７に記載の照明装置。
【請求項１１】
上記発光色制御手段は、上記取得した日時情報に基づいて、上記撮影時が日出没前後の調光時間帯内である場合、上記照明光の発光色を日出没前後の太陽光色に合致するように制御する
ことを特徴とする請求項１０に記載の照明装置。
【発明の詳細な説明】
【０００１】
【発明の属する技術分野】
本発明は撮影装置及び照明装置に関し、例えばディジタルスチルカメラに適用して好適なものである。
【０００２】
【従来の技術】
従来、ディジタルスチルカメラ等の各種撮影装置における低輝度時の補助照明装置として、キセノン管等を光源に用いたストロボ装置が広く用いられている（例えば、特許文献１参照）。
【０００３】
かかるストロボ装置においては、撮影装置のシャッタータイミングに同期して照明光を瞬間的に発光することにより被写体を照明し、これにより当該被写体を撮影装置に適切な露出で撮像させることができる。
【０００４】
【特許文献１】
実公平７−２３７７４号公報
【０００５】
【発明が解決しようとする課題】
従来、ストロボ装置の照明光の色温度は昼間の太陽光と同等（５０００〜７０００Ｋの白色光）に設定されている。ところが太陽光はその色温度が時間帯によって大きく変化し、これによりストロボ装置の照明光と太陽光とで色温度に相違が生じる場合がある。
【０００６】
例えば夕暮れ時においては、太陽光の色温度は２０００〜３０００Ｋ程度にまで低下して赤みを帯びる。このような夕暮れ時の屋外撮影においてストロボ装置を発光させた場合、被写体は昼間と同等の白色光で照明されるため、撮影された画像は夕暮れの雰囲気が損なわれたものになってしまうという問題があった。
【０００７】
また水中撮影時においては、太陽光はそのスペクトルの一部が水によって吸収されて青みを帯びるため、これにより撮影した映像は青みがかった不自然なものになってしまうという問題があった。
【０００８】
本発明は以上の点を考慮してなされたもので、撮影時の環境に応じた適切な発光色で照明光を発光する撮影装置及び照明装置を提案しようとするものである。
【０００９】
【課題を解決するための手段】
かかる課題を解決するため本発明においては、被写体を撮像する撮像手段と、照明光の発光色を可変し得る可変色照明手段と、撮像時の環境情報を取得する環境情報取得手段と、環境情報取得手段で取得した環境情報に基づいて可変色照明手段を制御し、照明光を撮影時の環境に応じた発光色で発光させる発光色制御手段とを撮影装置に設けた。
【００１０】
そして、環境情報取得手段として、撮影装置の周辺圧力を環境情報として検出する圧力センサを設け、発光色制御手段は、圧力センサで検出した撮影装置の周辺圧力情報に基づいて、当該撮影装置が水中にあることを検出したとき、照明光の発光色を水中に入射する太陽光の補色に制御するようにした。
【００１１】
また、環境情報取得手段は、撮像手段で撮像した画像のカラーバランスを環境情報として取得し、発光色制御手段は、照明光の発光色を取得したカラーバランスに合致するように制御するようにした。
【００１２】
また、環境情報取得手段は、撮影時の日時情報を環境情報として取得し、発光色制御手段は、取得した日時情報に基づいて、照明光の発光色を撮影時における太陽光色に合致するように制御するようにした。
【００１３】
撮像時の環境情報を環境情報取得手段で取得し、当該環境情報に基づいて可変色照明手段の発光色を制御することにより、撮影時の環境に応じた適切な発光色を照明光を発光させることができる。
【００１４】
【発明の実施の形態】
以下図面について、本発明の一実施の形態を詳述する。
【００１５】
（１）ディジタルスチルカメラの外観構成
図１（Ａ）及び（Ｂ）において、１は全体として本発明を適用した撮影装置としてのディジタルスチルカメラを示す。このディジタルスチルカメラ１は全体が防水構造で構成されており、所定の限界深度（例えば１０ｍ）未満の水中においても撮影を行い得るようになされている。
【００１６】
ディジタルスチルカメラ１の筐体２の正面２Ａには、その中央部に被写体を撮影するためのレンズ３が設けられているとともに、当該レンズ３の右上方には、夜間や室内、水中等の低照度条件下で被写体を照明して適正な露出を得るための、可変色照明手段としての可変色ストロボ４が設けられている。
【００１７】
図２は可変色ストロボ４の構成を示し、ベース４Ａ上に複数のフルカラーＬＥＤ（Ｌｉｇｈｔ−Ｅｍｉｔｔｉｎｇ  Ｄｉｏｄｅ）４Ｂが格子状に配列され、さらに各フルカラーＬＥＤ４Ｂの前方には、当該フルカラーＬＥＤ４Ｂが発する照明光を所望のパターンに配光して被写体を適切に照明するための配光レンズ４Ｃがそれぞれ配設されている。フルカラーＬＥＤ４Ｂは、３個の原色ＬＥＤ（赤、緑及び青）を１つのパッケージに封止して構成されており、各原色ＬＥＤの光量を増減することにより可変色ストロボ４全体の発光色を可変し得るようになされている。
【００１８】
また、レンズ３の左上方には、筐体２の正面２Ａから背面２Ｂにかけて光学ファインダ５が設けられており、筐体２の上面２Ｃには、ディジタルスチルカメラ１の動作モード（再生モードや撮影モード等）を選択するためのモード選択ダイヤル６、シャッタボタン７、及び周囲の圧力を検出するための、環境情報首都鵜手段としての圧力センサ８が設けられている。
【００１９】
図３は圧力センサ８の構成を示し、箱状のセンサ筐体８Ａの一面に円形の開口部８Ｂが設けられているとともに、当該開口部８Ｂを塞ぐようにして円板状の薄い金属板でなるダイアフラム８Ｃが取り付けられており、当該ダイアフラム８Ｃの中央部は外部の圧力変化に応じて変位する。ダイアフラム８Ｃの中央部裏面にはストレインゲージ８Ｄが接続されており、当該ストレインゲージ８Ｄの抵抗値はダイアフラム８Ｃの変位に応じて変化する。そしてディジタルスチルカメラ１は、ストレインゲージ８Ｄの抵抗値に基づいて周囲の圧力を検出する。
【００２０】
さらに筐体２の右側面２Ｄには、メモリカード９を着脱自在に装着するメモリカードインターフェース１０が設けられており、ディジタルスチルカメラ１で撮影した画像データを、当該メモリカードインターフェース１０に装着されたメモリカード９に記録し得るようになされている。また、筐体２の背面２Ｂには、液晶ディスプレイでなる表示部１１及び各種操作命令を入力するためのコマンドキー１２が設けられている。
【００２１】
（２）ディジタルスチルカメラの回路構成
次に、ディジタルスチルカメラ１の回路構成を図２を用いて説明する。図２に示すようにディジタルスチルカメラ１においては、ＣＰＵ（Ｃｅｎｔｒａｌ  Ｐｒｏｃｅｓｓｉｎｇ  Ｕｎｉｔ）、ＳＲＡＭ（Ｓｔａｔｉｃ  Ｒａｎｄｏｍ  Ａｃｃｅｓｓ  Ｍｅｍｏｒｙ  ）等の不揮発性メモリ、ＲＯＭ（Ｒｅａｄ  Ｏｎｌｙ  Ｍｅｍｏｒｙ）等からなるコントローラ２０に対し、パラレルバス２１を介してＲＡＭ（Ｒａｎｄｏｍ  Ａｃｃｅｓｓ  Ｍｅｍｏｒｙ）２２、撮像処理部２３及びメモリカードインターフェース１０が接続されている。
【００２２】
コントローラ２０には、モード選択ダイヤル６、シャッタボタン７及びコマンドキー１２等からなる操作部２４が接続されている。そしてコントローラ２０は操作部２４を介して入力される各種命令に応じて、内部のＲＯＭに格納された各種制御プログラムを実行することにより、ディジタルスチルカメラ１の各部を統括的に制御する。
【００２３】
例えばコントローラ２０は、モード選択ダイヤル６の操作によって撮影モードが選択されると、これに応じて撮像処理部２３及びＣＣＤ（Ｃｈａｒｇｅ  Ｃｏｕｐｌｅｄ  Ｄｅｖｉｃｅ  ）２５の動作を開始させる。撮像手段としてのＣＣＤ２５は、撮影対象から到来する撮像光Ｌ１をレンズ３を介して受光し、当該撮像光Ｌ１を光電変換することによりアナログの撮像信号Ｓ１を所定周期毎に生成して撮像処理部２３に供給する。
【００２４】
撮像処理部２３は、ＣＣＤ２５から順次供給される撮像信号Ｓ１をディジタル変換した後Ｙ、Ｃｒ及びＣｂの色差信号に変換することにより、ディジタルの静止画像データを連続的に生成する。そして撮像処理部２３は、当該連続した静止画像データを動画像データＤ１として表示処理部２６に送出する。
【００２５】
表示処理部２６は、動画像データＤ１をＲＧＢ信号に変換して表示信号Ｄ２を生成し、これを表示部１１に供給して表示する。かくしてディジタルスチルカメラ１は撮影モードにおいて、レンズ３を介して撮影した画像を表示部１１に連続的に表示する。このときコントローラ２０は、撮像処理部２３から動画像データＤ１の露出値を逐次取得し、当該取得した露出値に応じて絞り（図示せず）の絞り値及びＣＣＤ２５のシャッタ速度を制御することにより、画像を適正な露出で表示部１１に表示する。
【００２６】
さらにコントローラ２０は、撮影モードにおいてシャッタボタン７が押下されると、これに応じて撮像処理部２３を制御し、当該押下の時点で撮影された静止画像データを動画像データＤ１から抽出してＲＡＭ２２に一旦格納する。このときコントローラ２０は、動画像データＤ１の露出値が所定の露出閾値未満の場合、シャッタボタン７の押下タイミングに同期して発光制御部２７に対し発光命令を供給することにより、可変色ストロボ４を瞬間的に発光させて被写体を照明し、当該被写体を適正露出で撮影する。このとき発光色制御手段としてのコントローラ２０は、後述する発光色制御処理手順に従って発光制御部２７を制御し、可変色ストロボ４の発光色を可変する。
【００２７】
続いてコントローラ２０は、当該格納した静止画像データをＲＡＭ２２から取り込み、当該静止画像データに対してＪＰＥＧ（Ｊｏｉｎｔ  Ｐｈｏｔｏｇｒａｐｈｉｃ  Ｉｍａｇｅ  Ｃｏｄｉｎｇ  Ｅｘｐｅｒｔｓ  Ｇｒｏｕｐ  ）方式等の圧縮符号化処理を施して圧縮画像データＤ３を生成する。そしてコントローラ２０は、当該圧縮画像データＤ３をメモリカードインターフェース１０を介してメモリカード９に格納し、かくしてディジタルスチルカメラ１は撮影モードにおいて、レンズ３を介して撮影した画像データをメモリカード９に記録する。
【００２８】
またコントローラ２０は、モード選択ダイヤル６の操作によって再生モードが選択されると、内部のＲＯＭに予め格納されているメニュー画面データをオンスクリーンディスプレイコントローラ（以下、これをＯＳＤＣと呼ぶ）２８及び表示制御部２６を順次介して表示部１１に送出することにより、当該表示部１１にメニュー画面を表示する。さらにコントローラ２０は、メモリカード９に格納されている圧縮画像データＤ３のサムネール画像をメニュー画面上に表示する。
【００２９】
そしてコントローラ２０は、コマンドキー１２の操作によってメニュー画面上のサムネール画像が指定されると、当該指定されたサムネール画像に対応する圧縮画像データＤ３をメモリカード９から読み出す。さらにコントローラ２０は、読みだした圧縮画像データＤ３を複号して表示画像データＤ４を生成し、これを撮像処理部２３及び表示処理部２６を介して表示部１１に供給し表示する。
【００３０】
さらに、コントローラ２０には深度検出部２９及びＲＴＣ（Ｒｅａｌ−ｔｉｍｅ  Ｃｌｏｃｋ）３０が接続されている。深度検出部２９は、圧力センサ８のストレインゲージ８Ｄ（図３）の抵抗値に基づいてディジタルスチルカメラ１の周囲の圧力を検出し、さらに当該検出した圧力を水深に換算する。そして深度検出部２９は、当該換算した水深を深度情報Ｄ４としてコントローラ２０に供給する。またＲＴＣ３０は、日時情報（年月日及び時分秒）Ｄ５をコントローラ２０に供給する。
【００３１】
（３）可変色ストロボの調光制御処理
かかる構成に加えてこのディジタルスチルカメラ１においては、夕暮れや日の出時の屋外、あるいは水中等の特殊撮影環境下において可変色ストロボ４の発光色を調光することにより、撮影時の環境に応じた発光色で被写体を照明するようになされている。
【００３２】
すなわち、発光色制御手段及び環境情報取得手段としてのコントローラ２０は撮影モードにおいて、図５に示す発光色制御処理手順ＲＴ１の開始ステップから入ってステップＳＰ１に移り、シャッタボタン７の押下を検出すると次のステップＳＰ２に移る。
【００３３】
ステップＳＰ２においてコントローラ２０は、シャッタボタン７の押下時点における静止画像データの露出値と露出閾値とを比較し、露出不足であるか否かを判断する。ステップＳＰ２において露出不足ではないと判断した場合、コントローラ２０は可変光ストロボ４を発光することなくステップＳＰ１に戻る。これに対してステップＳＰ２において露出不足であると判断した場合、コントローラ２０は次のステップＳＰ３に移る。
【００３４】
ステップＳＰ３においてコントローラ２０は、深度検出部２９から供給される周辺圧力情報としての深度情報Ｄ４に基づいて、ディジタルスチルカメラ１が陸上にあるか水中にあるかを判断する。ステップＳＰ３において、ディジタルスチルカメラ１が陸上にあると判断した場合、コントローラ２０はステップＳＰ４に移る。
【００３５】
ステップＳＰ４において、環境情報取得手段としてのコントローラ２０は、まず当該コントローラ２０内部のＲＯＭに予め格納されている日出没時間テーブルを読み出す。この日出没時刻テーブルには、図６に示すような、１年を通じた毎日の日出没時刻が記録されている。そして環境情報取得手段としてのコントローラ２０は、日時情報Ｄ５に示される月日と日出没時刻テーブルとを照合して今日の日出没時刻を取得し、次のステップＳＰ５に移る。
【００３６】
ステップＳＰ５においてコントローラ２０は、取得した今日の日出没時刻から、太陽光が赤みを帯びる時間帯である調光時間帯を算出する。この調光時間帯は、例えば図６に示すように、日出時刻前１０分から日出時刻後３０分の間、及び日没時刻前３０分から日没時刻後１０分の間である。
【００３７】
そしてコントローラ２０は、算出した調光時間帯と日時情報Ｄ５に示される時刻とを照合し、現時刻が調光時間帯内であるか否かを判断する。ステップＳＰ５において調光時間帯内ではないと判断した場合、発光色制御手段としてのコントローラ２０はステップＳＰ８に移り、可変光ストロボ４を調光することなく白色光のまま発光させ、ステップＳＰ１に戻る。これに対して、ステップＳＰ５において調光時間帯内であると判断した場合、コントローラ２０はステップＳＰ６に移る。
【００３８】
ステップＳＰ６においてコントローラ２０は、シャッタボタン７の押下時点における静止画像データ全体のカラーバランスに基づいて、可変光ストロボ４に対する調光の可否を判断する。すなわち環境情報取得手段としてのコントローラ２０は、静止画像データの各画素のＲ、Ｇ及びＢ成分を画面全体に渡ってそれぞれ加算し、Ｒ、Ｇ及びＢ成分それぞれの合計値の比を算出する。
【００３９】
そしてコントローラ２０はＲ成分の合計値の比と所定の閾値とを比較し、画像に赤みを帯びているか否かを判断する。ステップＳＰ６において、Ｒ成分の合計値の比が閾値未満の場合、このことは調光時間帯内ではあるものの、例えば室内や他の照明下における撮影であるため画像に赤みを帯びておらず、可変光ストロボ４を調光する必要は無いことを表しており、このとき発光色制御手段としてのコントローラ２０はステップＳＰ８に移り、可変光ストロボ４を調光することなく白色光のまま発光させてステップＳＰ１に戻る。
【００４０】
これに対しステップＳＰ６において、Ｒ成分の合計値の比が閾値以上の場合、このことは調光時間帯内における屋外撮影であるため画像に赤みを帯びていることを表しており、このときコントローラ２０はステップＳＰ７に移る。
【００４１】
そしてステップＳＰ７において、発光色制御手段としてのコントローラ２０は発光制御部２７を制御し、可変色ストロボ４の発光色を夕暮れや日の出時の太陽光に近い赤みを帯びた色に調光し（例えば２０００〜３０００Ｋ程度）発光させ、ステップＳＰ１に戻る。
【００４２】
一方ステップＳＰ３において、ディジタルスチルカメラ１が水中にあると判断した場合、コントローラ２０はステップＳＰ９に移る。
【００４３】
ステップＳＰ９においてコントローラ２０は、まず当該コントローラ２０内部のＲＯＭに予め格納されている深度調光テーブルを読み出す。この深度調光テーブルには、水深に応じた最適なストロボ光の色情報が記録されている。すなわち太陽光は水深が深まるほど青みを帯びるので、この水深に応じた青みの補色（すなわち黄色）を照射すれば、青みを補正してカラーバランスを正常に保つことができる。
【００４４】
発光色制御手段としてのコントローラ２０は、深度検出部２９から供給された深度情報Ｄ４と深度調光テーブルとを照合して、現在の深度における最適なストロボ光の色情報を取得する。そしてコントローラ２０は発光制御部２７を制御し、可変色ストロボ４の発光色を、取得した色情報に応じて調光して発光させ、ステップＳＰ１に戻る。
【００４５】
（４）動作および効果
以上の構成において、ディジタルスチルカメラ１のコントローラ２０は、撮影モード時にシャッタボタン７が押下されると、これに応じて現在の露出値と露出閾値とを比較し、露出不足であると判断した場合、可変色ストロボ４を発光させることにより被写体を適正露出で撮影する。
【００４６】
このときコントローラ２０は、深度検出部２９から供給される深度情報Ｄ４に基づいてディジタルスチルカメラ１が陸上にあるか水中にあるかを判断し、当該ディジタルスチルカメラ１が水中にあると判断した場合、可変色ストロボ４の発光色を水深に応じて調光して発光させることにより、水中における太陽光の青みを補正して画像のカラーバランスを適正に保つ。
【００４７】
またコントローラ２０は、ディジタルスチルカメラ１が陸上にあると判断した場合、現在の日時と日出没時間テーブルとを照合し、現時刻が日出没前後の調光時間帯内であるか否かを判断する。続いてコントローラ２０は、現時刻が調光時間帯内である場合、シャッタボタン７の押下時点における静止画像データ全体のカラーバランスが赤みを帯びているか否かを判断する。
【００４８】
そしてコントローラ２０は、現時刻が調光時間帯内であり、かつ静止画像データのカラーバランスが赤みを帯びている場合、調光時間帯内における屋外撮影であるために画像に赤みを帯びていると判断し、可変色ストロボ４の発光色を夕暮れや日の出時の太陽光に近い赤みを帯びた色に調光して発光させることにより、撮影時の太陽光に調和した発光色で被写体を照明して、撮影時の雰囲気を保った自然な画像を撮影する。
【００４９】
以上の構成によれば、撮影時の外部圧力、日時情報及び画像のカラーバランスに基づいて可変色ストロボ４の発光色を制御するようにしたことにより、撮影時の周辺環境に応じた最適な発光色で被写体を照明することができる。
【００５０】
（５）他の実施の形態
なお上述の実施の形態においては、フルカラーＬＥＤ４Ｂを複数個配設して可変色ストロボ４を構成するようにしたが、本発明はこれに限らず、３原色ＬＥＤをそれぞれ複数個配設して可変色ストロボを構成したり、例えばキセノン管等でなる光源の前面に液晶カラーフィルターを設け、当該液晶カラーフィルターの色を可変することにより発光色を制御する等、種々の構成の可変色ストロボを適用することができる。
【００５１】
また上述の実施の形態においては、現時刻が日出没前後の調光時間帯内であり、かつ静止画像データの色バランスが赤みを帯びている場合に、可変色ストロボ４の発光色を赤みを帯びた色に調光して発光させるようにしたが、本発明はこれに限らず、単に現時刻が日出没前後の調光時間帯内である場合に可変色ストロボ４の発光色を調光して発光させるようにしたり、あるいは静止画像データの色バランスが赤みを帯びている場合に、可変色ストロボ４の発光色を調光して発光させるようにしてもよい。さらには、静止画像データの色バランスと可変色ストロボ４の発光色とが合致するように、可変色ストロボ４の発光色を調光して発光させるようにしてもよい。
【００５２】
また上述の実施の形態においては、ＣＣＤ２５で撮像した静止画像データのカラーバランスが赤みを帯びている場合に可変色ストロボ４の発光色を調光して発光させるようにしたが、本発明はこれに限らず、別途色センサを設け、当該色センサで検出した外光の色に応じて可変色ストロボ４の発光色を調光して発光させるようにしてもよい。
【００５３】
また上述の実施の形態においては、日出没時間の前後所定時間内を調色時間帯と設定し、撮影時刻が当該調色時間帯内の場合に可変色ストロボ４の発光色を制御するようにしたが、本発明はこれに限らず、撮影時の日時及び時刻から太陽高度を算出し、当該太陽高度に応じた太陽光の色温度と一致するように可変色ストロボ４の発光色を連続的に制御すれば、より精密に発光色を制御することができる。
【００５４】
また上述の実施の形態においては、日出没時間テーブルから取得した日出没時間と日時情報Ｄ５とに基づいて可変色ストロボ４の発光色を制御することにより、外光の色温度に適応したストロボ照明を行うようにしたが、実際上は撮影地の緯度や経度によって日出没時間が異なり、これにより同一時刻であっても外光の色温度に相違が生じる。このため、撮影地の緯度経度情報をユーザに入力させ、当該緯度経度情報を用いて日出没時間を補正するようにすれば、より適切に可変色ストロボ４の発光色を制御することができる。
【００５５】
また、都道府県や地方、あるいは国等の適当な地域毎に上述した日出没時間テーブルを記憶しておき、ユーザによって指定された地域に対応する日出没時間テーブルを用いて色温度を制御するようにすれば、より簡易かつ適切に可変色ストロボ４の発光色を制御することができる。
【００５６】
さらには、ディジタルスチルカメラ１にＧＰＳ（Ｇｌｏｂａｌ  Ｐｏｓｉｔｉｏｎｉｎｇ  Ｓｙｓｔｅｍ）受信器を設け、当該ＧＰＳ受信器で取得した緯度経度情報を用いて日出没時間を補正するようにすれば、より確実かつ適切に可変色ストロボ４の発光色を制御することができる。
【００５７】
また上述の実施の形態においては、ディジタルスチルカメラ１は常に発光色制御処理手順を実行して可変色ストロボ４の発光色を可変するようにしたが、本発明はこれに限らず、従来の白色発光と本発明の可変色発光とを選択できるようにしてもよい。
【００５８】
また上述の実施の形態においては、ディジタルスチルカメラ１のストロボ装置に本発明を適用した場合について述べたが、本発明はこれに限らず、従来のフィルムを用いる銀塩カメラのストロボ装置や、各種カメラに装着して使用する外付けのストロボ装置、さらにはビデオカメラやムービーカメラ等の動画撮影装置に用いる補助照明装置等、種々の照明装置に本発明を適用することができる。
【００５９】
【発明の効果】
上述のように本発明によれば、撮像時の環境情報を環境情報取得手段で取得し、当該環境情報に基づいて可変色照明手段の発光色を制御することにより、撮影時の環境に応じた適切な発光色で照明光を発光させることができる。
【図面の簡単な説明】
【図１】ディジタルスチルカメラの外観構成を示す略線的斜視図である。
【図２】可変色ストロボの構成を示す略線的斜視図である。
【図３】圧力センサの構成を示す略線図である。
【図４】ディジタルスチルカメラの回路構成を示すブロック図である。
【図５】発光色制御処理手順を示すフローチャートである。
【図６】日出没時刻と調光時間帯の説明に供するグラフである。
【符号の説明】
１……ディジタルスチルカメラ、２……筐体、３……レンズ、４……可変色ストロボ、５……光学ファインダ、６……モード選択ダイヤル、７……シャッタボタン、８……圧力センサ、９……メモリカード、１０……メモリカードインターフェース、１１……表示部、１２……コマンドキー、２０……コントローラ、２１……パラレルバス、２２……ＲＡＭ、２３……撮像処理部、２４……操作部、２５……ＣＣＤ、２６……表示処理部、２７……発光制御部、２８……ＯＳＤＣ、２９……深度検出部、３０……ＲＴＣ。
【図１】
2004317746.tif 000003
【図２】
2004317746.tif 000004
【図３】
2004317746.tif 000005
【図４】
2004317746.tif 000006
【図５】
2004317746.tif 000007
【図６】
2004317746.tif 000008